(57)【要約】【課題】  エレベータの据付やガイド装置の交換時にかご１がねじれ変位を起こすのを防止する装置において、かご位置を規制する位置規制枠１１の操作が容易に行えるようにすること。【解決手段】  かごの位置を規制する位置規制枠１１を、回転軸１０を中心にして左右方向に回転可能に竪枠３に取り付ける。通常は位置規制枠１１に固定したブロック１２がガイドレール２から離れた位置を保持する。そしてガイド装置の交換時などには、第２ボルト１４を緩め、第１ボルト１３を締めて位置規制枠１１を時計方向に回転させてブロック１２，１２でガイドレール２を挟みかごのねじれ変位を規制する。外すときには第１ボルト１３を緩めて第２ボルト１４を締め、図１の状態に戻す。【選択図】        図１
2005206315.tif 000002
【特許請求の範囲】
【請求項１】
ガイドレールに沿って昇降するかご、このかごの前記ガイドレールに対向する側に設けられた竪枠、この竪枠の上下に配置されたガイド装置、このガイド装置の近くに設けられ、前記ガイドレールに対する前記竪枠の位置を一時的に規制する装置を備えたものにおいて、
前記規制装置は、前記ガイドレールの頂面に垂直な方向を軸として前記竪枠に回動可能に取り付けられていることを特徴とするエレベータかご。
【請求項２】
前記規制装置は、回動可能な位置規制枠とこの位置規制枠に固定された一対のブロックを備えており、前記位置規制枠が一方向に回転することにより前記一対のブロックが前記ガイドレールの案内部を左右から挟み、逆方向に回転することにより前記一対のブロックが前記ガイドレールから離反する構成であることを特徴とする請求項１に記載のエレベータかご。
【請求項３】
前記規制装置は、前記竪枠に取り付けたボルトによって回転させられる構成であることを特徴とする請求項１又は２に記載のエレベータかご。
【請求項４】
前記ブロックは、前記ガイドレールに接する面がゴムであることを特徴とする請求項２又は３に記載のエレベータかご。
【発明の詳細な説明】
【技術分野】
【０００１】
本発明はエレベータの据付時や保守時に、ガイドレールに対するエレベータかごの位置を一時的に規制する装置に関するものである。
【背景技術】
【０００２】
エレベータかごの据付時や、ローラガイド又はガイドシューからなるガイド装置の交換時には、ガイドレールに対するかごの位置を規制しなければならない。図４〜図７は従来のかご位置規制装置の一例で、ガイド装置の交換時における従来例を示すものである（特許文献１参照）。図において、図４はかごの正面図、図５は図４の平面図である。１はガイドレール２に沿って昇降するかごであり、竪枠３，下枠４，上枠５を有し、主ロープ６によって吊り下げられている．７，７ａ，７ｂは竪枠３の上下に設けられたガイド装置であり、ローラガイド又はガイドシューからなっている。
【０００３】
長年の使用によるガイドシューの摩耗などにより、ガイド装置の交換が必要になった場合、例えばガイド装置７ａを取り外すと、かご１や作業者の荷重などによる不均衡荷重のために、図６に示すようにかご１がガイドレール２に対してねじれ変位を生じてしまう。そのため新しいガイド装置を取り付ける前にかご１のねじれを戻してやらなければならず、多くの時間を要するという問題があった。
【０００４】
そこで、ガイド装置７，７ａ，７ｂを取り外している間、竪枠３のガイドレール２に対する位置を一時的に規制することによって、かご１のねじれ変位を防止する装置が考えられている。この装置は図７に示すように、竪枠３のガイド装置７，７ａ，７ｂの近くに、位置規制枠８を固定し、この位置規制枠８に一対のセットボルト９，９を設けたものである。
この構成において、ガイド装置７ａを取り外す前に、ガイドレール２の両側面に接するまでセットボルト９をねじ込んでおくことにより、ガイド装置７ａを取り外してもかご１のねじれ変位を規制することができる。このため新しいガイド装置の取り付けも容易に行うことができる。
【特許文献１】実開平３―２１０８２号公報
【発明の開示】
【発明が解決しようとする課題】
【０００５】
前記従来技術では、かご１の上部にあるガイド装置７ａについては比較的作業が楽に行えるが、下方のガイド装置７ｂを交換するのは難しい。通常の場合ガイド装置７ｂは竪枠３の最下端に取り付けられているため、位置規制枠８はガイド装置７ｂの直上部に配置される。したがって、図７のようにガイドレール２の両側からセットボルト９を操作するのは難しいという問題がある。
またこの構成はかご１の据付時における、ガイドレール２に対する竪枠３の位置決めにも使用されるが、ガイドレール２の両側からセットボルト９を操作するのは作業性が悪いという問題がある。更にガイドレール１に傷が付かないように、木片などの緩衝材を挟んでセットボルト９をねじ込む必要があり、作業時間が長くなるという問題があった。
【課題を解決するための手段】
【０００６】
本発明は、ガイドレールに対するかご１の変位を規制する位置規制装置を、ガイドレールの頂面に垂直な方向を軸として、竪枠に回動可能に取り付けたものである。
またこの位置規制装置は、回動可能な位置規制枠とこの位置規制枠に固定された一対のブロックを備えており、位置規制枠が一方向に回転することにより一対のブロックがガイドレールの案内部を左右から挟み、逆方向に回転することにより前記ブロックがガイドレールから離反する構成としたものである。
更に前記規制装置は、竪枠に取り付けたボルトによって回転させられる構成としたものである。更にまた前記ブロックは、ガイドレールに接する面をゴムとしたものである。
【発明の効果】
【０００７】
本発明によれば、位置規制装置を回転させるだけで、ガイドレールに対するかごの位置を規制することができるから、ガイドレールの片側からの作業のみで済むため、作業が容易になり作業時間の短縮が図れる。
【発明を実施するための最良の形態】
【０００８】
本発明の実施の形態を図により説明する。図１はかご位置規制装置の正面図、図２は図１の平面図で図７に相当する図である。図において、１０は竪枠３に取り付けられた回転軸で、ガイドレール２の案内部２０の頂面２１に対向し、かご位置の規制時に頂面２１の左右方向の中央に回転中心がくるように位置している。１１は回転軸１０によって竪枠３に枢着された位置規制枠で、回転軸１０を中心にした対称位置に一対のブロック１２が固定されている。１３，１４は竪枠３の一側に取り付けられた第１，第２ボルト、１５は竪枠３の他側に取り付けられたストッパである。
【０００９】
本構成を、エレベータの据付において、ガイドレール２に対する竪枠３の位置を決める場合について説明する。図１において、第２ボルト１４を緩めて位置規制枠１１との間に十分な間隔を空けておく。そして第１ボルト１３を締めると位置規制枠１１は時計方向に回転し、一対のブロック１２がガイドレール２の案内部２０の左右の側面２２，２３に接触し更に押圧される。これにより、位置規制枠１１の回転中心がガイドレールの頂面２１の中心と一致するため、ガイドレール２に対する竪枠３の位置が自動的に決まる。この状態でガイド装置の取り付けやかご１の組み立てを行う。
位置規制枠１１をガイドレール２から外すには、第１ボルト１３を緩めて、第２ボルト１４を締めれば位置規制枠１１は反時計方向に回転して図１の状態に戻る。
【００１０】
本実施の形態によれば、竪枠３の一側に取り付けられた第１，第２ボルト１３，１４を操作するだけで、ガイドレール２に対する竪枠３の位置決めが行えるため、作業が比較的容易で、作業時間も従来に比べて短縮することができる。また各ブロック１２はガイドレール２の案内部２０を挟むときに、面接触となるように傾斜面を有しているため、案内部２０を傷つける可能性も低い。
【００１１】
尚、前記のブロック１２としては、ガイドレール２を傷つけないためには硬質ゴム、合成樹脂、木などを使用することが望ましいが、金属を使用することも可能である。またガイドレール２の側面２２，２３に接する部分にゴム等の材質を固定した金属とすることもできる。
更に図３に示すように、位置規制枠１１と竪枠３との間にバネ３０を取り付ければ、第１ボルト１３を緩めるのみで、位置規制枠１１は元の位置に復帰することができるため、作業がより容易になる。
【００１２】
前記実施の形態は、竪枠３がガイドレール２に比較的接近している場合であるが、竪枠３とガイドレール２とが離れている場合には、竪枠３にブラケット等の中間部材を取り付け、この中間部材に位置規制枠１１，回転軸１０等を取り付ければよい。また前記の実施の形態は、エレベータの据付の場合について説明したが、ガイド装置７，７ａ，７ｂの交換の場合も同様に行うことができる。この場合位置規制枠１１をガイド装置据付専用に取り付けることもできるが、据付時に使用した位置規制枠１１をそのまま残しておきガイド装置交換時に使用することもできる。
【図面の簡単な説明】
【００１３】
【図１】本発明の実施の形態を示す図であり、かご位置規制装置の正面図である。
【図２】図１の平面図である。
【図３】本発明の他の実施の形態を示す図である。
【図４】かごの正面図である。
【図５】図４の平面図である。
【図６】図５のかごの変位を示す図である。
【図７】従来のかご位置規制装置の一例を示す図である。
【符号の説明】
【００１４】
１  かご
２  ガイドレール
３  竪枠
７，７ａ，７ｂ  ガイド装置
８，１１  位置規制枠
１０  回転軸
１２  ブロック
１３  第１ボルト
１４  第２ボルト
１５  ストッパ
２０  ガイドレールの案内部
２１  案内部の頂面
２２，２３  案内部の側面
３０  バネ
【図１】
2005206315.tif 000003
【図２】
2005206315.tif 000004
【図３】
2005206315.tif 000005
【図４】
2005206315.tif 000006
【図５】
2005206315.tif 000007
【図６】
2005206315.tif 000008
【図７】
2005206315.tif 000009